(57)【要約】      （修正有）【課題】一連の人手による巻糸パッケージ回転動作をしやすくし、又、巻糸パッケージを自動搬入する搬送腕の干渉問題を排した巻糸パッケージ支持装置を提供しようとする。【解決手段】巻糸パッケージ３を懸架するものであって、巻糸パッケージのボビン３０を挿架し該ボビンと接触して回転可能な回転体４を含む支持棒５と、該支持棒の先端部６を支持する受け部８を含んでなり、該支持棒の下方に進入する巻糸パッケージを自動搬入する搬送腕の先端を逃がす空間部１０が形成された巻糸パッケージ支持装置である。【選択図】図２
0003107872.tif 000002
【実用新案登録請求の範囲】
【請求項１】
巻糸パッケージのボビンを挿架し該ボビンと接触して回転可能な回転体を含む支持棒と、該支持棒の先端部を支持する受け部とを含んでなり、該支持棒の下方に進入する巻糸パッケージを自動搬入する搬送腕の先端を逃がす空間部が形成された巻糸パッケージ支持装置。
【請求項２】
前記受け部が複数本の固定支持棒と該固定支持棒に装着される中間部材とを備え、前記支持棒が該中間部材に支持される請求項１に記載の巻糸パッケージ支持装置。
【請求項３】
前記中間部材が前記固定支持棒に着脱自在に装着される請求項２に記載の巻糸パッケージ支持装置。
【請求項４】
前記中間部材がアーチ形状をなし、一対の前記固定支持棒にアーチ状に架け渡され、該中間部材の最上部に前記支持棒の先端部が支持される請求項２又は３に記載の巻糸パッケージ支持装置。
【請求項５】
前記中間部材に、巻糸パッケージを自動搬入する搬送腕の先端を案内する案内面が設けられた請求項２又は３に記載の巻糸パッケージ支持装置。
【請求項６】
前後一対に配された前記中間部材に前記支持棒が架け渡される請求項１乃至５のいずれかに記載の巻糸パッケージ支持装置。
【請求項７】
前記中間部材の両端下部を内側に向けて斜めに面取りした請求項１乃至７のいずれかに記載の巻糸パッケージ支持装置。
【請求項８】
前記回転体が回転ロールから成り、前記中間部材に軸着する請求項２乃至７のいずれかに記載の巻糸パッケージ支持装置。
【請求項９】
前記回転ロールが、前記中間部材に圧入された低摩擦部材を介して前記中間部材に軸着する請求項８に記載の巻糸パッケージ支持装置。
【請求項１０】
請求項２乃至９のいずれかに記載の前記巻糸パッケージ支持装置に用いられるものであり、前記中間部材と前記支持棒とを含んでなり、前記固定支持棒に装着される巻糸パッケージ支持装置部品。
【請求項１１】
前記中間部材に前記固定支持棒に係合する挿通孔が形成された請求項１０に記載の巻糸パッケージ支持装置部品。
【請求項１２】
請求項９に記載の前記巻糸パッケージ支持装置に用いられるものであり、前記中間部材を含んでなり、前記中間部材に前記固定支持棒に係合する挿通孔と前記回転ロールの両端それぞれを装着する軸受け孔とが形成された巻糸パッケージ支持装置部品。
【請求項１３】
更に、前記回転ロールを含む請求項１２に記載の巻糸パッケージ支持装置部品。
【考案の詳細な説明】
【技術分野】
【０００１】
本考案は、延伸仮撚機等の合繊加工糸製造装置に於いて、多数の原料巻糸パッケージを懸架して解舒するための巻糸パッケージ支持装置に関する。
【背景技術】
【０００２】
合繊加工糸製造装置、なかでも延伸仮より機等最新の加工糸製造装置に於いては、いわゆる″トランスファーテール″(原料巻糸パッケージ間の糸の相互移動)を実施するケースが殆どである。
【０００３】
この″トランスファーテール″は図1に示すように原料巻糸パッケージＡとＢを対抗して配置し、原糸供給中の巻糸パッケージＡの糸がなくなった時に、糸の走行を停止することなく、巻糸パッケージＢから引き続き原糸供給が行なわれるようにする方法である。このためには、ＡとＢを図のようにその軸心が第1ガイドＧ(解舒ガイドとも云う)上で交わるように配置すると共に、Ａの巻始糸ｔ(テールとも云う)とＢの巻終糸ｈ(ヘッドとも云う)をあらかじめ結んでおく必要がある。糸結び作業は機械化されているが、巻始糸ｔ及び巻終糸ｈを取り出し糸結び機に仕掛けるのは糸と云う細くてしなやかな材料を扱うために人手作業に頼っているのが現状である。
【０００４】
この人手作業の内容につき若干補足説明する。先ず巻糸パッケージＢの巻終糸ｈを取出すためにｈの所在を探し、その結び目Ｎを解いてやる。この時、人は満巻であるＢを手で回す必要がある。次に巻取り中の巻糸パッケージＡの巻始糸ｔを取出してやるが、この時は解除中の糸を切断しないように細心の注意が必要であり、テール糸ｔの巻かれている狭いボビン端部しか手で触れることが出来ない。そして、テール糸を取出した後に、これを糸結び機まで導いてやるが、上記狭いボビン端部を指先でつまんでボビンを回転させる必要がある。こうしてテールとヘッドを細心の注意を払って糸結び機にセットし糸結び作業を行う。
【０００５】
さて、糸結び作業が終わった後、結んだ糸が、現在解除されつつある糸Ｙと干渉しないようにその経路を定めてやる必要がある。この時、人が巻糸パッケージの紙管端部を手で持って満巻の巻糸パッケージを回転させ糸のたるみを取る作業を行っている。
【０００６】
延伸仮より機等の合繊加工糸製造装置に於いて、多数の巻糸パッケージを懸架して解舒するための巻糸パッケージ支持装置にあっては、２本の固定支持棒が巻糸パッケージの紙管等のボビン内面を支持するものが多い。まれに1本の固定支持棒で支持する場合もあるが、いずれのケースに於いても支持棒は固定されており、巻糸パッケージを回転させる場合には、支持棒とボビン内面はすべり摩擦状態となり回転抵抗が大きく作業しにくい。
【０００７】
近年において原料巻糸パッケージの重量が大きくなるに従い、固定支持棒の一部を回転可能にする装置が提案されている。（例えば、特許文献１、２参照。）これらはその文献の実施例から明らかなように、回転可能にされた支持棒は片持ち構造であり、重量が大きな巻糸を懸架するためには部材が過大にならざるをえないこともあって、回転体を支持する部材が巻糸ボビン（紙管）の内部を広範囲に占拠する構造になっている。このため原料巻糸パッケージを人が装着したり、空になったボビンを人が回収したりする場合には問題がないが、近年盛んに用いられている自動搬送腕を用いた作業に使う場合には、搬送腕と回転体支持部材が干渉するという問題が生じていた。
【特許文献１】実開平４−６６１５９号公報
【特許文献２】実開平６−６１８６３号公報
【考案の開示】
【考案が解決しようとする課題】
【０００８】
本考案はこの一連の人手による巻糸パッケージ回転動作をしやすくすることを目的とする。又、本考案は前記自動搬送腕と回転体支持部材の干渉問題を排し、かつ重量が大きな巻糸を作業者が手指で回転し易くする改善された巻糸パッケージ支持装置を提供しようとするものである。
【課題を解決するための手段】
【０００９】
本考案の要旨とするところは、巻糸パッケージのボビンを挿架し該ボビンと接触して回転可能な回転体を含む支持棒と、該支持棒の先端部を支持する受け部とを含んでなり、該支持棒の下方に進入する巻糸パッケージを自動搬入する搬送腕の先端を逃がす空間部が形成された巻糸パッケージ支持装置であることにある。
【００１０】
前記受け部は複数本の固定支持棒と該固定支持棒に装着される中間部材とを備え得、前記支持棒が該中間部材に支持され得る。
【００１１】
前記中間部材は前記固定支持棒に着脱自在に装着され得る。
【００１２】
前記巻糸パッケージ支持装置においては、前記中間部材がアーチ形状をなし得、一対の前記固定支持棒にアーチ状に架け渡され得、該中間部材の最上部に前記支持棒の先端部が支持され得る。
【００１３】
前記巻糸パッケージ支持装置においては、前記中間部材に、巻糸パッケージを自動搬入する搬送腕の先端を案内する案内面が設けられ得る。
【００１４】
前記巻糸パッケージ支持装置においては、前後一対に配された前記中間部材に前記支持棒が架け渡され得る。
【００１５】
前記巻糸パッケージ支持装置においては、前記中間部材の両端下部を内側に向けて斜めに面取りし得る。
【００１６】
前記回転体は回転ロールから成り得、前記中間部材に軸着し得る。
【００１７】
前記回転ロールは、前記中間部材に圧入された低摩擦部材を介して前記中間部材に軸着し得る。
【００１８】
本考案の要旨とするところは、前記巻糸パッケージ支持装置に用いられるものであり、前記中間部材と前記支持棒とを含んでなり、前記固定支持棒に装着される巻糸パッケージ支持装置部品であることにある。
【００１９】
前記中間部材には前記固定支持棒に係合する挿通孔が形成され得る。
【００２０】
又、本考案の要旨とするところは、前記巻糸パッケージ支持装置に用いられるものであり、前記中間部材を含んでなり、前記中間部材に前記固定支持棒に係合する挿通孔と前記回転ロールの両端それぞれを装着する軸受け孔とが形成された巻糸パッケージ支持装置部品であることにある。
【００２１】
前記巻糸パッケージ支持装置部品は、更に、前記回転ロールを含み得る。
【考案の効果】
【００２２】
本考案によると、一連の人手による巻糸パッケージ回転動作のしやすい巻糸パッケージ支持装置が提供される。又、本考案により、自動搬送腕と回転体支持部材が干渉する問題を排し、かつ重量が大きな巻糸を作業者が手指で回転し易くする改善された巻糸パッケージ支持装置が提供される。
【考案を実施するための最良の形態】
【００２３】
本考案の巻糸パッケージ支持装置の実施形態について、図面を使用して説明する。なお、本明細書においては、各図にわたって記される同じ符号は同一又は同様の部材やものを示す。図２の組立図に示すように、本考案の巻糸パッケージ支持装置２は、巻糸パッケージ３のボビン３０を挿架しボビン３０の内壁と接触して回転可能な回転ロール４から成る支持棒５と、支持棒５の先端部６を支持する受け部８を含んで構成される。巻糸パッケージ支持装置２は、通常、クリールに複数個隣接配置される。
【００２４】
支持棒５は、取り付けベース７から前方に突出する左右一対の固定支持棒１２、１２に前後一対のアーチ形状の中間部材１４、１５を介して支持されている。具体的には、回転ロール４の両端それぞれがアーチ形状の中間部材１４、１５の各中央部に軸着して、回転可能とされている。支持棒５は、このように自身が回転するものであってもよいが、ボビンの内壁と接触して回転する円柱状や球状の回転体が内蔵された棒状体であってもよい。これにより、支持棒５は先端部６も中間部材１４により支持されるので満巻の重い巻糸パッケージの重量にも安定に耐える。中間部材１４、１５は、断面が山形あるいは門形であってもよい。中間部材１４、１５それぞれは、固定支持棒１２、１２にアーチ状に架け渡されている。これにより、支持棒５の下方には、支持棒５の下方長手方向に進入する巻糸パッケージを自動搬入する搬送腕の先端を逃がす空間部１０が確保される。
中間部材１４、１５は、両端部に固定支持棒１２を緩挿させる挿通孔２２が形成されている。セットビス２４が中間部材１４を固定支持棒１２に着脱可能に固定する。中間部材１４、１５の中央部には、回転ロール４の両端それぞれを軸着するための軸受け孔２６、２６がそれぞれ形成されている。軸受け孔２６の内周壁が、低摩擦部材のカラーで構成されてもよい。回転ロール４はベアリングを介して中間部材１４、１５それぞれに軸着していてもよい。
【００２５】
図２から判るように、巻糸パッケージ３の重量は主として円筒状のボビン３０を介して支持棒５（回転ロール４）で支えられている。中間部材１４、１５の形状が正面から見て門（アーチ）形状をなしているのは、原料巻糸パッケージの挿入時に巻糸パッケージを自動搬入する搬送腕と干渉（衝突）するのを避けるためである。
【００２６】
又、中間部材１４の前面には傾斜部材３２がネジ等で中間部材１４に固定されて配されている。傾斜部材３２の前方に面する傾斜面は巻糸パッケージ支持装置２の前がわに面して後方かつ下方に向けて傾斜し、支持棒５の下方に進入する搬送腕の先端部を案内する案内面３５なっている。
【００２７】
又、図２に示す態様では、中間部材１４及び傾斜部材３２が固定支持棒１２のほぼ先端に固定されているが、前述の搬送腕と傾斜部材３２との接触のタイミングを遅らせるために、中間部材１４及び傾斜部材３２を固定支持棒１２の固定ベース７寄りに配置させてもよい。この場合にも、固定支持棒１２を切断して長さを短縮する必要はなく、中間部材１４、１５間の距離に合わせた回転ロール４を軸着すればよい。但し、回転ロール４が糸パッケージ３の重量を主に支えていることから、中間部材１４の位置は、ボビン３０の長手方向の中央部より前方に設けることが望ましい。
【００２８】
傾斜部材３２は中間部材１４がボビン３０の挿入初期において搬送腕の先端部と接触するが、この搬送腕の先端部を下方に誘導する働きを持つものである。搬送腕の先端部はフック部を有し、これは巻糸パッケージ挿入時には不要なものであるが、搬送中に巻糸パッケージが脱落するのを防止したり、原料巻糸パッケージを一工程前の保管位置から取り込む際にボビン（紙管）の端部と係合させる必要があるものである。図３には中間部材１４の形状を示す。符号３３は傾斜部材３２を中間部材１４に取り付けるためのセットビス孔である。
【００２９】
更に、本考案の巻糸パッケージ支持装置においては、図４に示すように、後方の中間部材１５の両端下部６０が内側に向けて斜め下方に面取りされている。面取りの角度αは３０〜４０度が好ましい。これにより、空ボビンを巻糸パッケージ支持装置２から抜き取る際、空ボビンの後端部を押し上げ空ボビンを前方が下がった下向きに斜向させる操作時に中間部材１５の両端下部６０が空ボビンの内壁と干渉することが防止される。
【００３０】
図５は傾斜部材３２の形状を示す。符号３１は傾斜部材３２を中間部材１４に取り付けるためのネジ孔である。
【００３１】
図６は回転ロール４の形状を示す。符号４１は中間部材１４、１５にそれぞれ軸着する軸着部である。
【００３２】
図７は原料巻糸パッケージ３を機械的に搬送する搬送装置４０の搬送固定腕６３に原料巻糸パッケージ３が支持されている状態を示す側面図である。搬送腕４２の先端部３８は巻糸体挿入時には不要なものであるが、図７に示すような搬送中に巻糸体が脱落するのを防止したり、図示しないが、原料巻糸体を一工程前の保管位置から取り込む際にボビン（紙管）の端部５９と係合させる必要があるものである。
【００３３】
図８は原料巻糸パッケージ３がプッシャー５１により押出され、従来の巻糸パッケージ支持装置２ａの固定支持棒１２ａに挿入された状態の側面図である。搬送腕４２はプッシャー５１に連結されていてプッシャー５１と連動して前進する。搬送腕４２の先端部３８があるため、従来技術で提案されている回転可能な所謂ペグ軸は搬送腕４２と回避不可能な程度に干渉し、実用化の障害になっていたものである。本考案はこの障害を固定支持棒１２ａに巻糸パッケージを支持させる従来の巻糸パッケージ支持装置に簡単な部品の追加することで解消できるため、機械化された搬送作業と省力化した人手作業の両立を可能にするものである。符号５０はプッシャーの駆動部、符号５２は搬送腕４２の先端フック５４をボビン３０の端部５９に所定のタイミングで係合させるための搬送腕付勢バネ構造である。符号５３は搬送腕４２の案内子であり、プッシャー５１の後退時に所定のタイミングで搬送腕４２を乗り上げさせプッシャーとともに上昇させる。
【００３４】
本考案の巻糸パッケージ支持装置においては、支持棒５が中間部材１４、１５を介してアーチ状に支持されるので、搬送自動化により益々重量が大になった原料巻糸パッケージを部材の過大化を伴うことなく確実にかつ回転可能に支えることができ、かつ、搬送腕４２の進入路を巻糸パッケージ支持装置２と干渉することなく確保できるのである。
【００３５】
その他、本考案は、主旨を逸脱しない範囲で当業者の知識に基づき種々なる改良、修正、変更を加えた態様で実施できるものである。
【産業上の利用可能性】
【００３６】
本考案の巻糸パッケージ支持装置は、仮撚装置のみならず、製糸工程や、紡編織工程等における糸条の解舒用クリールに適用出来る。
【図面の簡単な説明】
【００３７】
【図１】トランスファーテールの操作を説明する説明図である。
【図２】本考案の巻糸パッケージ支持装置の構成を示す組立図であり、図２（ａ）は平面図、図２（ｂ）は側面図、図２（ｃ）は正面図である。
【図３】本考案の巻糸パッケージ支持装置における、前側に配される中間部材の形状を示し、図３（ａ）は平面図、図２（ｂ）は正面図である。
【図４】本考案の巻糸パッケージ支持装置における、後側に配される中間部材の形状を示す正面図である。
【図５】本考案の巻糸パッケージ支持装置における、傾斜部材の形状を示し、図５（ａ）は正面図、図２（ｂ）は側面図である。
【図６】本考案の巻糸パッケージ支持装置における、回転ロールの形状を示す平面図である。
【図７】原料巻糸パッケージを機械的に搬送する搬送装置の搬送腕に原料巻糸パッケージが支持されている状態を示す説明図（側面図）である。
【図８】図７に示す搬送装置において、搬送腕が原料巻糸パッケージを従来の巻糸パッケージ支持装置に挿入した状態を示す説明図（側面図）である。
【符号の説明】
【００３８】
２：巻糸パッケージ支持装置
３：巻糸パッケージ
４：回転ロール
５：支持棒
６：先端部
７：取り付けベース
８：受け部
１０：空間部
１２：固定支持棒
１４、１５：中間部材
２２：挿通孔
２６：軸受け孔
３０：ボビン
３２：傾斜部材
３５：案内面
【図１】
0003107872.tif 000003
【図２】
0003107872.tif 000004
【図３】
0003107872.tif 000005
【図４】
0003107872.tif 000006
【図５】
0003107872.tif 000007
【図６】
0003107872.tif 000008
【図７】
0003107872.tif 000009
【図８】
0003107872.tif 000010
【手続補正書】
【提出日】平成16年10月27日(2004.10.27)
【手続補正１】
【補正対象書類名】実用新案登録請求の範囲
【補正対象項目名】請求項７
【補正方法】変更
【補正の内容】
【請求項７】
前記中間部材の両端下部を内側に向けて斜めに面取りした請求項１乃至６のいずれかに記載の巻糸パッケージ支持装置。